(57)【要約】      （修正有）【課題】操作の利便性、検査の利便性の向上に資することのできる自覚式検眼装置を提供する。【解決手段】視標チャート選択ボタン画面欄の視標チャート選択ボタンを指定することにより選択された視標チャートを視標呈示装置１３に呈示させると共に当該視標チャートに関連づけられた詳細内容に対応する光学素子が被検眼と視標呈示装置との間にセットされるように光学素子配置装置１４を制御する制御部２３とを備え、視標チャート選択ボタン画面欄は、視標チャート選択ボタンが配列された複数個の切り替え画面欄からなる。【選択図】図２
2007275446.tif 000002
【特許請求の範囲】
【請求項１】
被検眼の視機能を検査する各種の視標チャートを被検眼に向けて呈示する視標呈示装置と前記被検眼の視機能を光学的に矯正する各種の光学素子を前記視標呈示装置と前記被検眼との間にセットする光学素子配置装置とを制御する制御装置を備え、
前記制御装置は、前記被検眼に対して実行すべき各種の検査の詳細内容と前記各種の視標チャートとを少なくとも記憶するメモリ部と、前記視標呈示装置に表示されている視標チャートに対応する視標チャート欄と前記実行すべき検査に応じて呈示すべき各視標チャートを選択するための視標チャート選択ボタンが配列表示された視標チャート選択ボタン画面欄とを少なくとも含む操作画面を表示する表示部と、前記詳細内容と前記各種の視標チャート選択ボタンとを関連づけて登録する登録部と、前記視標チャート選択ボタン画面欄の視標チャート選択ボタンを指定することにより選択された視標チャートを前記視標呈示装置に呈示させると共に当該視標チャートに関連づけられた詳細内容に対応する光学素子が前記被検眼と前記視標呈示装置との間にセットされるように前記光学素子配置装置を制御する制御部とを備え、
前記視標チャート選択ボタン画面欄は、前記視標チャート選択ボタンが配列された複数個の切り替え画面欄からなることを特徴とする自覚式検眼装置。
【請求項２】
前記登録部が、前記視標チャート選択ボタン画面欄と前記視標チャート選択ボタンに関連づけられている詳細内容とを表示すると共に前記視標チャート選択ボタンの一覧画面を表示する登録画面を、前記操作画面から切り替えて前記表示部に表示させる登録ボタンと、前記一覧画面に表示されている視標チャート選択ボタンを指定して前記切り替え画面欄に関連づける指定手段とからなることを特徴とする請求項１に記載の自覚式検眼装置。
【請求項３】
前記登録画面には、各視標チャートに関連づけられている詳細内容を変更して各視標チャートに関連づけて設定するために各種の詳細内容を表示すると共に関連づけを確定するための確定ボタンを表示する変更設定画面を、前記登録画面から切り替えて表示させる変更ボタンが設けられていることを特徴とする請求項２に記載の自覚式検眼装置。
【請求項４】
前記視標チャート選択ボタン画面欄の同一切り替え画面内に、互いに異なる検査内容が関連づけられた少なくとも同一のチャート選択ボタンが配列表示可能であることを特徴とする請求項３に記載の自覚式検眼装置。
【請求項５】
前記視標チャート選択ボタン画面欄の異なる切り替え画面内に、互いに異なる検査内容が関連づけられた少なくとも同一のチャート選択ボタンが配列表示可能であることを特徴とする請求項３に記載の自覚式検眼装置。
【請求項６】
前記登録画面の視標チャート選択ボタン画面欄で、前記指定手段により、前記視標チャート選択ボタンの順序を変更可能なことを特徴とする請求項３に記載の自覚式検眼装置。
【請求項７】
前記視標チャート選択ボタン画面欄には、各切り替え画面に対して意味づけを与える意味づけ情報が付されて該各切り替え画面を表示させるための切り替えボタンがそれぞれ設けられていることを特徴とする請求項１に記載の自覚式検眼装置。
【請求項８】
前記登録画面には、前記切り替えボタンに付された意味づけ情報を変更して設定するための意味づけ情報変更画面を、前記登録画面から切り替えて表示させるための設定ボタンが設けられていることを特徴とする請求項６に記載の自覚式検眼装置。
【発明の詳細な説明】
【技術分野】
【０００１】
本発明は、被検者に視機能検査用の視標チャートを呈示し、検者が被検者に対し、視標チャートの見え方に関する質問を行うことにより検眼を進行する自覚式検眼装置の改良に関する。
【背景技術】
【０００２】
従来から、自覚式検眼装置には、被検眼の視機能を検査するための視標チャートを被検眼に向けて呈示する視標呈示装置と、被検眼の視機能を光学的に矯正するための各種の光学素子を視標呈示装置と被検眼との間に配置する光学素子配置装置と、視標呈示装置と光学素子配置装置とを制御する制御装置とを備え、検査プログラムに従って検査を行うものが知られている（例えば、特許文献１参照）。
【０００３】
その制御装置は、操作部と表示部とマウスとメモリ部とから大略構成され、この操作部又はマウスを操作することによって視標呈示装置に呈示すべき視標チャートの選択、光学素子配置装置に配置されるべき光学素子の制御を行うようにされている。
【０００４】
その表示部は、例えば、液晶表示パネルから構成され、操作部には、呈示すべき視標チャートを選択する選択スイッチ（選択ボタン）が設けられている。そのメモリ部は、例えば外部記憶装置としてのハードディスクから構成され、そのハードディスクには選択スイッチに対応する視標チャートが記憶保存されている。
【特許文献１】特開２００２−１４３０９２号公報
【発明の開示】
【発明が解決しようとする課題】
【０００５】
ところで、この種の自覚式検眼装置では、被験者に呈示すべき視標チャートの追加変更削除をソフトウエアを用いて容易に行うことができるようになっている。
【０００６】
しかしながら、従来の自覚式検眼装置では、その視標チャートを選択する選択スイッチはハードウェア的に構成されているため、被験者に呈示すべき視標チャートを追加する構成とした場合、これに応じて、この追加した視標チャートを選択するための選択スイッチをハードウエア的に追加しなければならず、被験者に呈示すべき視標チャートが増加するに伴って、選択スイッチの個数が増加し、検者が操作部のいずれの箇所に呈示すべき視標チャートに対応する選択スイッチが配置されているかを判断しづらくなり、迅速な検眼処理に支障をきたすという不都合がある。この不具合は、液晶表示パネル上にソフトウェア的に選択スイッチ（視標チャート選択ボタン）を一覧表示させることにした場合も同様である。
【０００７】
本発明は、上記の事情に鑑みて為されたもので、その目的は、視標呈示装置に呈示すべき視標チャートの個数が増大した場合であっても、検者が視標呈示装置に呈示すべき視標チャートを迅速に選択することができ、ひいては検者の操作の利便性、検査の利便性の向上に資することのできる自覚式検眼装置を提供することにある。
【課題を解決するための手段】
【０００８】
請求項１に記載の自覚式検眼装置は、被検眼の視機能を検査する各種の視標チャートを被検眼に向けて呈示する視標呈示装置と前記被検眼の視機能を光学的に矯正する各種の光学素子を前記視標呈示装置と前記被検眼との間にセットする光学素子配置装置とを制御する制御装置を備え、
前記制御装置は、前記被検眼に対して実行すべき各種の検査の詳細内容と前記各種の視標チャートとを少なくとも記憶するメモリ部と、前記視標呈示装置に表示されている視標チャートに対応する視標チャート欄と前記実行すべき検査に応じて呈示すべき各視標チャートを選択するための視標チャート選択ボタンが配列表示された視標チャート選択ボタン画面欄とを少なくとも含む操作画面を表示する表示部と、前記詳細内容と前記各種の視標チャート選択ボタンとを関連づけて登録する登録部と、前記視標チャート選択ボタン画面欄の視標チャート選択ボタンを指定することにより選択された視標チャートを前記視標呈示装置に呈示させると共に当該視標チャートに関連づけられた詳細内容に対応する光学素子が前記被検眼と前記視標呈示装置との間にセットされるように前記光学素子配置装置を制御する制御部とを備え、
前記視標チャート選択ボタン画面欄は、前記視標チャート選択ボタンが配列された複数個の切り替え画面欄からなることを特徴とする。
【０００９】
請求項２に記載の自覚式検眼装置は、前記登録部が、前記視標チャート選択ボタン画面欄と前記視標チャート選択ボタンに関連づけられている詳細内容とを表示すると共に前記視標チャート選択ボタンの一覧画面を表示する登録画面を、前記操作画面から切り替えて前記表示部に表示させる登録ボタンと、前記一覧画面に表示されている視標チャート選択ボタンを指定して前記切り替え画面欄に関連づける指定手段とからなることを特徴とする。
【００１０】
請求項３に記載の自覚式検眼装置は、前記登録画面には、各視標チャートに関連づけられている詳細内容を変更して各視標チャートに関連づけて設定するために各種の詳細内容を表示すると共に関連づけを確定するための確定ボタンを表示する変更設定画面を、前記登録画面から切り替えて表示させる変更ボタンが設けられていることを特徴とする。
【００１１】
請求項４に記載の自覚式検眼装置は、前記視標チャート選択ボタン画面欄の同一切り替え画面内に、互いに異なる検査内容が関連づけられた少なくとも同一のチャート選択ボタンが配列表示可能であることを特徴とする。
【００１２】
請求項５に記載の自覚式検眼装置は、前記視標チャート選択ボタン画面欄の異なる切り替え画面内に、互いに異なる検査内容が関連づけられた少なくとも同一のチャート選択ボタンが配列表示可能であることを特徴とする。
【００１３】
請求項６に記載の自覚式検眼装置は、前記登録画面の視標チャート選択ボタン画面欄で、前記指定手段により、前記視標チャート選択ボタンの順序を変更可能なことを特徴とする。
【００１４】
請求項７に記載の自覚式検眼装置は、前記視標チャート選択ボタン画面欄には、各切り替え画面に対して意味づけを与える意味づけ情報が付されて該各切り替え画面を表示させるための切り替えボタンがそれぞれ設けられていることを特徴とする。
【００１５】
請求項８に記載の自覚式検眼装置は、前記登録画面には、前記切り替えボタンに付された意味づけ情報を変更して設定するための意味づけ情報変更画面を、前記登録画面から切り替えて表示させるための設定ボタンが設けられていることを特徴とする。
【発明の効果】
【００１６】
請求項１〜請求項４に記載の発明によれば、表示部の操作画面上に複数個の切り替え可能な切り替え画面からなる視標チャート選択ボタン画面欄を切り替え可能に設け、切り替え画面に配列表示された視標チャート選択ボタンを選択して視標チャートを呈示させる構成であるので、視標呈示装置に呈示すべき視標チャートの個数が増大した場合であっても、検者が視標呈示装置に呈示すべき視標チャートを迅速に選択することができ、検者の操作の利便性が向上する。
【００１７】
また、プログラムに従って検眼を行う場合、視標チャート選択ボタンの配列順序により検査全体の流れを視覚的に把握できる。
【００１８】
更には、ある切り替え画面でプログラムに従って検査を行っている途中で、このプログラムに含まれていない検査を、検者の判断で他の切り替え画面に切り替えて、この他の切り替え画面に配列表示されている視標チャート選択ボタンを指定して、この視標チャート選択ボタンに関連づけられている検査を実行できるので、被検者に対応して適切な検眼をフレキシブルに行うことができる。
【００１９】
特に、請求項３に記載の発明によれば、検者が登録画面上で、検査に用いる視標チャートを選択できると共に、その視標チャートを用いて行う検査の詳細内容を関連づけることができるようにしたので、検者が使い易い操作画面を自由に作成できる。
【００２０】
請求項４、請求項５に記載の発明によれば、同一の視標チャート選択ボタンに異なる検査の詳細内容を設定できるので、同一視標チャートを用いて複数の検査を簡単に行うことができる。
【００２１】
請求項６に記載の発明によれば、視標チャート選択ボタンの順序の変更を容易に行うことができ、検査順序の変更が容易となる。
【００２２】
請求項７、８に記載の発明によれば、各切り替え画面に意味づけを与えたので、検者が実行したい検査がどの切り替え画面であるのかの把握が容易となる。
【発明を実施するための最良の形態】
【００２３】
以下、この発明に係わる自覚式検眼装置の発明の実施の形態を図面を参照しつつ説明する。
【００２４】
図１において、符号１０は自覚式検眼装置、符号１２は被検者、符号１８は検眼テーブル、符号２６は検者である。
【００２５】
自覚式検眼装置１０は、図１に示すように、各種の視標チャート１１を被検者１２の被検眼に呈示する視標呈示装置１３と、被検眼の視機能を矯正する矯正装置１４とを備えている。自覚式検眼装置１０は、例えば図示を略す眼鏡を作成する際に、この眼鏡のレンズの屈折度数を定めるために用いられる。
【００２６】
視標呈示装置１３は、視標チャート１１が表示される表示窓１６が設けられた呈示装置本体１７を備える。表示窓１６に表示される視標チャート１１は、後述する機能を有するコントローラ（制御装置）１５の操作により選択される。
【００２７】
検眼テーブル１８には、検眼テーブル１８から上方へ伸びる支柱１９が設けられている。支柱１９の上部には横方向に伸びるアーム２０が設けられ、矯正装置１４はアーム２０に取り付けられている。
その矯正装置１４は、左右方向に並べて配置された一対のフォロプタ２１を備えている。各フォロプタ２１は、ハウジング２１ａを備えている。そのフォロプタ２１にはそれぞれ検眼窓２２が形成されている。
各ハウジング２１ａ内には、公知の図示を略す環状のレンズディスクが回転可能に収納されている。このレンズディスクには公知の互いに屈折力の異なる複数の光学素子としてのレンズ等がそのレンズディスクの周方向に沿って設けられている。
その矯正装置１４は、光学素子を被検眼と視標呈示装置１３との間に選択的に配置する光学素子配置装置を構成している。各レンズ等は、コントローラ１５の制御のもとでレンズディスクの回転により各検眼窓２２内に選択的に配置される。
【００２８】
コントローラ１５は、図２及び図３に示すように、ＣＰＵ（制御部）２３とメモリ部２４とを有する演算制御回路２５と、操作部２７と、操作部２７に電気的に接続された表示部２８とを備えている。表示部２８は例えば液晶表示パネルから構成されている。
【００２９】
操作部２７と表示部２８とは、それぞれ演算制御回路２５に接続されている。ＣＰＵ２３は、矯正装置１４と視標呈示装置１３とのそれぞれに設けられた図示を略す駆動制御部に接続されている。
【００３０】
メモリ部２４には、例えば、裸眼時の被検眼の球面度数、乱視度数及び軸角度等の裸眼データ及び現在使用しているメガネの球面度数、乱視度数及び軸角度等のメガネデータ等の各種の検査データ、各種の視標チャートが記憶されていると共に、球面度テスト、乱視テスト、幼児用テスト等の複数の種類の検査を実行するためのプログラム、その検査の詳細内容（パラメータ）が記憶されている。ＣＰＵ２３は、メモリ部２４から読み出した検査データの内容に応じて各検眼窓２２内への各レンズの配置を制御する。
【００３１】
表示部２８には、例えば、操作部２７の電源（図示を略す）を投入すると、メニュー画面（図示を略す）が表示され、メニュー画面に表示された項目から操作画面を選択すると、後述する操作画面が表示される。
【００３２】
操作部２７は、操作盤３０とマウス３１とから構成され、操作盤３０には、例えば、ダイヤルスイッチ２９、視標チャート選択ボタン２９’等が設けられている。
【００３３】
ダイヤルスイッチ２９は、例えば、図４に示す操作画面３２のデータ表示欄３７に表示される球面度数、乱視度数及び軸角度等の数値を変更するときに用い、操作盤３０のダイヤルスイッチ２９を操作すると、ＣＰＵ２３から矯正装置１４の駆動制御部（図示を略す）に制御信号が送られ、これにより、例えば、ダイヤルスイッチ２９の操作により設定された屈折力を有するレンズが各フォロプタ２１の検眼窓２２内に配置される。
【００３４】
その操作画面３２には、視標呈示装置１３に表示されている視標チャートに対応する視標チャート欄１１Aと実行すべき検査に応じて呈示すべき各視標チャート１１を選択するための視標チャート選択ボタン１１aが配列表示された視標チャート選択画面欄１１Bとが設けられている。その各視標チャート選択ボタン１１aはサムネイル画像として表示される。
【００３５】
操作画面３２には、その下部に各種の操作ボタンが設けられ、例えば、符号３２aはレンズの度数を０．２５ディオプターずつ送るためのステップ送りボタン、例えば、符号３２ｂは、自覚データ、他覚データ、処方データ、前回処方データ、裸眼データ等のデータをセットするためのデータセット（Data set）ボタン、符号３３ｃは後述する登録画面を表示部２８に表示させるための登録ボタンである。
【００３６】
その操作画面３２の上部には、ここでは、実行中検査の名称を表示する項目３５と、検査の詳細内容の名称を表示する項目３６と、データ表示欄３７の右目のデータと左目のデータに対応する項目とが表示されている。
【００３７】
その視標チャート選択ボタン画面欄１１Bは、複数個の切り替え画面からなっており、その視標チャート選択ボタン画面欄１１Bの上部には、各切り替え画面に対応して切り替えボタン（タブ）１１ｂが設けられている。その切り替えボタン１１ｂには、各切り替え画面に対して意味づけを与えるための意味づけ情報が付されている。
【００３８】
この例では、「chart1」、「chart2」、記号「∃」、アヒル似た図形等の意味づけが与えられている。ここでは、「chart2」が選択されて、検者の設定により整理されて登録された１２個の視標チャートボタン１１aが実行すべき検査毎に分類して表示されている。
【００３９】
この例では、視標チャートとして、視力「０.１〜０．４」のものが複数個配列表示され、例えば、「chart2」は、０．５以下の近眼の人の自覚検査用に用いるという意味づけが与えられる。また、例えば、「chart1」は他覚検査用に用いるという意味づけが与えられ、「アヒルに似た図形」は例えば幼児検査用に用いるという意味づけが与えられる。
【００４０】
なお、残余の検査に用いる視標チャート選択ボタン１１aの集合はウインドウの背後に隠され、検者が切り替えボタン１１ｂを操作することによってページがめくられ、検者が選択した切り替え画面に対応するチャートボタン１１aの配列からなる集合が視標チャート選択ボタン画面欄１１Bに表示される。
【００４１】
この操作画面３２では、符号１１a’で示す視標チャート選択ボタンが選択指定されて、視標チャート欄１１Aに表示されている。その視標チャート欄１１Aには、視標呈示装置１３に呈示される視標１１と、検者の視力値を示す数字と、マスクボタン１１ｃとが表示されている。
【００４２】
視標チャート選択ボタン画面欄１１Bでは、同一の切り替え画面内に、「TKP…TZ」からなる４個の同一の視標チャート選択ボタン１１aが配列表示されているが、これらの視標チャート選択ボタン１１aには互いに異なる検査内容が関連づけられているものである。これについては、後述する。
【００４３】
視標チャート選択画面欄１１Bへの視標チャート選択ボタン１１aの登録は、この例では、登録ボタン３２ｃをマウス３１を操作して指定することにより行う。
【００４４】
マウス３１を操作して、カーソル（図示を略す）を登録ボタン３２ｃの位置に置き登録ボタン３２ｃを押すと、表示部２８は操作画面３２から図５に示す登録画面３３に切り替わる。
【００４５】
登録画面３２には、各種の視標チャート選択ボタンの一覧からなる一覧画面欄３３Aと、視標チャート選択ボタン画面欄１１Bと、一覧画面欄３３Aの各視標チャート選択ボタン１１aに対して関連づけられている詳細内容を表示する詳細内容表示欄３３Bとが設けられている。
【００４６】
ここでは、切り替え画面は「chart2」が指定されているものとし、すでに、「chart2」の切り替え画面には、１１個の視標チャート選択ボタン１１aが登録されているものとし、新たに、この切り替え画面「chart2」に符号１１a”で示す視標チャート選択ボタンを登録する場合について説明する。
【００４７】
マウス３１は登録ボタン３２ｃと協力して、登録画面３３の一覧画面３３Aに表示されている各視標チャート選択ボタン１１aを視標チャート選択ボタン画面欄１１Bと関連づける指定手段としての機能を有し、  マウス３１を操作してカーソル（図示を略す）を視標チャート選択ボタン１１a”の位置に置き、ドラッグアンドドロップの操作手法により、視標チャート選択ボタン１１a”を切り替え画面「chart2」に移動させて登録する。
【００４８】
その詳細内容表示欄３３Bには、この視標チャート選択ボタン１１a”の切り替え画面「chart2」への登録により、この視標チャート選択ボタン１１a”に関連づけられている詳細内容が表示されている。
【００４９】
例えば、詳細内容表示欄３３Bには「検査はクロスシリンダであり、データセットは自覚検査用データであり、テスト対象眼は単眼であり、ダイアルは軸角度であり、雲霧量は「０」ディオプターである」ことを意味する項目３３a、レンズは素通しであることを意味する図形３３ｂ、レッドグリーンテストを意味する図形３３ｃとがデフォルト（初期設定）として表示される。
【００５０】
その登録画面３３の下部には、視標チャート選択ボタン１１aと検査の詳細内容との関連づけを変更するための変更ボタン３４、登録画面３３の詳細内容表示欄３３Bの表示をデフォルト値に設定するためのデフォルトボタン３５、アイコン・チャート設定ボタン３６、確定ボタン３７、キャンセルボタン３８が設けられている。
【００５１】
アイコン・チャート設定ボタン３６は、切り替えボタン１１ｂに付されている意味づけ情報を変更するためのもので、このアイコン・チャート設定ボタン３６を操作すると、表示部２８は登録画面３３から図示を略す意味づけ情報変更画面に切り替わる。この意味づけ情報変更画面には、各種のアイコン、文字等の一覧を表示する一覧画面と、視標チャート選択ボタン画面欄（図５参照）１１Bとが表示されている。
【００５２】
この意味づけ情報変更画面において、マウス３１を操作してカーソル（図示を略す）を例えばアヒルの図形を意味するアイコンの位置に置き、ドラッグアンドドロップの操作手法により、アイコンを切り替えボタン１１ｂの「chart４（図５参照）」が付された位置に移動させて登録すれば、「chart４」が付されている切り替えボタン１１ｂがアヒルの図形を意味するアイコン（図４参照）に置き換わる。
【００５３】
表示部２８は、登録画面３３においてマウス３１を用いて変更ボタン３４を操作すると、図６に示す変更設定画面４０に切り替わる。この変更設定画面４０には、例えば、検査の種類を表示する表示欄４１と、実行したい検査の詳細内容を示すパラメータを表示する表示欄４２と、登録画面３３において直前に登録された視標チャートを表示する視標チャート欄４３と、この検査に使用する光学素子を表示する表示欄４４とが表示される。表示欄４４には、ここでは、補助レンズ（Aux.lens）を示す図形４４aが表示されている。その補助レンズはプリズムであり、図形４４a中にプリズムの度数を示す文字が表示されている。
【００５４】
検査の種類には、球面度数、乱視度数、軸角度に関する検査、プリズムに関する検査、両眼検査があり、表示欄４１の上部にはこの各画面を切り替える切り替えボタン（タブ）４１ｂが設けられている。
【００５５】
ここでは、プリズムに関する検査が選択され、そのプリズム検査の各種の検査が項目欄に表示され、例えば、水平斜位検査が選択されているものとする。また、この検査に使用する視標チャート選択ボタンとしては、視標チャート選択ボタン（図４参照）１１a’が選択されているものとする。検者はマスクボタン１１ｃ又は１１ｃ’を用いてマスクを視標チャート１１aにかけることができる。なお、マスクボタン１１ｃは水平方向にマスクをかけるのに用いられ、マスクボタン１１ｃ’は垂直方向にマスクをかけるのに用いられる。
【００５６】
表示欄４２には、自覚検査、他覚検査、眼鏡、処方、前回処方、裸眼データをセットするデータセット（Data set）項目４２a、単眼検査か両眼検査かを示す検査眼項目４２ｂ、オープン（補助レンズなし）、クローズ（遮蔽板）、ピンホール板、偏光板、プリズム等の補助レンズを設定するためのダイアル項目４２ｃ、雲霧量（Fog）の程度を決める雲霧量項目４２ｄが設けられている。各項目に隣接してプルダウンボタン４２a’〜４２ｄ’が設けられている。
【００５７】
検者が視標チャート選択ボタン１１aと詳細内容との関連づけについて何らの変更操作を行っていない場合には、この変更設定画面４０に表示される詳細内容は、工場出荷時に初期設定された状態のものが表示される。
【００５８】
検者は、マウス３１を操作して、この初期設定された内容を自由に変更できる。例えば、マウス３１を用いてカーソルをプルダウンボタン４２a’におき、自覚検査、他覚検査、眼鏡、処方、前回処方、裸眼データ等のプルダウン画面を表示させ、初期設定が「裸眼」データである場合、この中から「自覚検査」を選択すると、初期設定時の「裸眼」データが「自覚検査」のデータに変更される。
【００５９】
また、初期設定時の「検査眼」が単眼（左目L）である場合、検者はマウス３１を用いてプルダウンボタン４１ｂ’を操作して、プルダウン画面を表示させ、例えば、「検査眼」を単眼（右目R）又は両眼に設定できる。これにより、視標チャート選択ボタン１１a’が単眼（右目R）又は両眼検査に変更されて関連づけられて登録される。
【００６０】
また、例えば、初期設定時のダイアル項目のプリズムが「水平（H）」である場合、プルダウンボタン４１ｃ’を操作して、プルダウン画面を表示させ、プリズムを「垂直（V）」に設定できる。これにより、視標チャート選択ボタン１１a’が単眼（右目R）又は両眼検査に変更されて関連づけられて登録される。
【００６１】
また、例えば、初期設定時の雲霧量設定項目の数値が雲霧量「０」ディオプターである場合、プルダウンボタン４１ｄ’を操作して、適宜の値に設定できる。
【００６２】
このようにして、各視標チャート選択ボタンを各種の検査とその詳細内容とに関連づけて、検者が登録することができる。
【００６３】
同一の視標チャートに別の検査の種類、詳細内容を関連づけて登録する場合には、例えば、登録画面３３で同一の視標チャート選択ボタン１１a’を選択し、ドラッグアンドドロップの操作手法により、その登録画面３３の切り替え画面「chart2」に登録し、変更ボタン３４をマウス３１を用いて操作して、表示部２８の画面を登録画面３３から変更設定画面４０に切り替え、同様の操作を行う。
【００６４】
これにより、例えば視標チャート選択ボタン１１a’と同一の視標チャート選択ボタン１１a”に、視標チャート選択ボタン画面欄１１Bの同一切り替え画面「chart2」内に、互いに異なる検査内容が関連づけられた少なくとも同一の視標チャート選択ボタンが配列表示される。
【００６５】
視標チャート選択ボタン画面欄１１Bの切り替え画面を切り替えて、異なる切り替え画面内に、例えば視標チャート選択ボタン１１a’と同一の視標チャート選択ボタン１１a”を登録し、この視標チャート選択ボタン１１a”に異なる検査内容を関連づけることも可能である。
【００６６】
このようにして、視標チャート選択ボタン画面欄１１Bに登録された視標チャート選択ボタン１１aを操作画面３２上で適宜の視標チャート選択ボタン１１aを指定すれば、これに関連づけられた検査内容が表示され、CPU（制御部）２３はこの視標チャート選択ボタン１１aに対応する視標チャートが視標呈示装置１３に呈示されると共にその詳細検査内容に対応する光学素子が矯正装置１４にセットされるように視標呈示装置１３、矯正装置１４を制御する。
【００６７】
以降の検眼検査は、この操作画面３２を用いて行うことができるし、また、従来通り操作盤２７の操作によっても行うこともできる。
【００６８】
本発明によれば、視標チャート選択ボタンを、検者が選択して整理して登録できるようにしたので、検者の使い易い視標チャート選択ボタンを作成することができる。また、同一の視標チャートに対応する同一視標チャート選択ボタンに複数個の異なる検査の内容を関連づけることができるので、同一の視標チャートを用いて複数個の検査を同時に実行できる。
【００６９】
また、視標チャートの配列順に検査を実行するプログラム検査を用いれば、検査の流れを視覚的に把握できて便利である。
【００７０】
更に、プログラム検査の実行中に、検者が必要に応じて異なる切り替え画面を開いてプログラム検眼には組み込まれていない検査を実行することも可能になり、柔軟な検査を行うことが可能となる。
【００７１】
以上、発明の実施の形態では、登録部を登録画面３３とマウス３１とによって構成したが、これに限るものではなく、例えば、操作盤にハード的に登録ボタンを設けて、この登録ボタンを操作することにより、視標チャート選択ボタンを選択して登録する構成としても良い。
【図面の簡単な説明】
【００７２】
【図１】本発明に係る自覚式検眼装置を概略的に示す斜視図である。
【図２】本発明に係る自覚式検眼装置を概略的に示すブロック図である。
【図３】本発明に係るコントローラを概略的に示す平面図である。
【図４】本発明に係る表示部の操作画面を概略的に示す図である。
【図５】本発明に係わる表示部の登録画面を概略的に示す図である。
【図６】本発明に係わる変更設定画面を概略的に示す図である。
【符号の説明】
【００７３】
１０  自覚式検眼装置
１３  視標呈示装置
１５  制御装置
１４  光学素子配置装置（矯正装置）
２３  制御部（ＣＰＵ）
２４  メモリ部
２８  表示部
３２  操作画面
【図１】
2007275446.tif 000003
【図２】
2007275446.tif 000004
【図３】
2007275446.tif 000005
【図４】
2007275446.tif 000006
【図５】
2007275446.tif 000007
【図６】
2007275446.tif 000008